(57)【特許請求の範囲】
【請求項１】
第１アンテナを介して第１ＲＦ信号を送受信する第１ＲＦ送受信機と、
前記第１ＲＦ送受信機から出力される信号のうち、小電力の信号を抽出する第１信号カプラーと、
第２アンテナを介して第２ＲＦ信号を受信する第２ＲＦ受信機と、
前記第１信号カプラーにより抽出された信号のうち、第２ＲＦ受信帯域に該当する第１ＲＦ信号の位相雑音信号を通過する位相雑音通過フィルタと、
前記位相雑音通過フィルタからの第１ＲＦ信号の位相雑音信号を位相反転させる位相変換器と、
前記位相変換器からの信号のレベルを調整するＶＧＡ増幅器と、
前記ＶＧＡ増幅器からの信号と前記第２アンテナからの第２ＲＦ信号とを結合して、前記第２ＲＦ信号に含まれる第１ＲＦ信号の位相雑音信号を除去する信号結合器
とを備えることを特徴とする携帯端末機。
【請求項２】
前記第２ＲＦ受信機からの制御信号に基づいて、前記第２ＲＦ信号に含まれる位相雑音信号の除去を制御する雑音除去制御機を更に備えることを特徴とする請求項１に記載の携帯端末機。
【請求項３】
前記雑音除去制御機は、
前記第２ＲＦ受信機から制御信号を受けて、前記制御信号に含まれるチャネル情報に基づいて前記位相雑音通過フィルタ及び前記位相変換器の中心周波数可変を制御することを特徴とする請求項２に記載の携帯端末機。
【請求項４】
前記位相雑音通過フィルタは、
前記雑音除去制御機の制御に応じて、前記第２ＲＦ信号のうち選択されたチャネル周波数を中心周波数として含む通過帯域を設定する可変フィルタを備えることを特徴とする請求項３に記載の携帯端末機。
【請求項５】
前記位相変換器は、
前記雑音除去制御機の制御に応じて位相反転中心周波数を設定し、前記位相雑音通過フィルタからの位相雑音信号を前記設定した中心周波数を中心に位相反転させ、ここで反転される位相は、前記第２アンテナを介して受信される位相雑音信号と１８０°の位相差を有することを特徴とする請求項３に記載の携帯端末機。
【請求項６】
前記雑音除去制御機は、
前記第２ＲＦ受信機から制御信号を受けて、前記制御信号に含まれたＢＥＲ（Ｂｉｔ  Ｅｒｒｏｒ  Ｒａｔｅ）に基づいて、前記位相変換器の中心周波数可変及び前記ＶＧＡ増幅器の利得を制御することを特徴とする請求項２に記載の携帯端末機。
【請求項７】
前記位相変換器は、
前記雑音除去制御機の制御に応じて位相反転中心周波数を設定し、前記位相雑音通過フィルタからの位相雑音信号を前記設定した中心周波数を中心に位相反転させ、ここで反転される位相は、前記第２アンテナを介して受信される位相雑音信号と１８０°の位相差を有することを特徴とする請求項６に記載の携帯端末機。
【請求項８】
前記ＶＧＡ増幅器は、
前記雑音除去制御機の制御に応じて前記位相変換器からの信号のレベルを、前記第２アンテナを介した前記第１ＲＦ信号の位相雑音信号のレベルと同様に制御することを特徴とする請求項６に記載の携帯端末機。
【請求項９】
前記雑音除去制御機は、
前記第２ＲＦ受信機から制御信号を受けて、前記制御信号に含まれたチャネル情報及びＢＥＲに基づいて位相雑音通過フィルタ及び位相変換器の中心周波数可変と、前記ＶＧＡ増幅器の利得を制御して、前記第２アンテナを介して流入される第１ＲＦ信号の位相雑音信号の電力を最小に制御することを特徴とする請求項２に記載の携帯端末機。
【請求項１０】
前記位相雑音通過フィルタは、
前記雑音除去制御機の制御に応じて、前記第２ＲＦ信号のうち選択されたチャネル周波数を中心周波数として含む通過帯域を設定する可変フィルタを備えることを特徴とする請求項９に記載の携帯端末機。
【請求項１１】
前記位相変換器は、
前記雑音除去制御機の制御に応じて位相反転中心周波数を設定し、前記位相雑音通過フィルタからの位相雑音信号を前記設定した中心周波数を中心に位相反転させ、ここで反転される位相は、前記第２アンテナを介して受信される位相雑音信号と１８０°の位相差を有することを特徴とする請求項９に記載の携帯端末機。
【請求項１２】
前記ＶＧＡ増幅器は、
前記雑音除去制御機の制御に応じて前記位相変換器からの信号のレベルを、前記第２アンテナを介した前記第１ＲＦ信号の位相雑音信号のレベルと同様に制御することを特徴とする請求項９に記載の携帯端末機。
【請求項１３】
前記携帯端末機は、
前記信号結合器の出力信号のうち、小電力の信号を抽出する第２信号カプラーと、
前記第２信号カプラーにより抽出された信号に含まれる位相雑音信号の電力を検出して、雑音除去制御機に検出信号を出力する電力検出器
とを更に備えることを特徴とする請求項２に記載の携帯端末機。
【請求項１４】
前記雑音除去制御機は、
前記電力検出器からの検出信号を利用して、前記第１ＲＦ信号の位相雑音信号の電力を監視しながら前記位相変換器の位相を可変し、前記ＶＧＡ増幅器の利得を制御して、前記位相雑音信号の電力を最小値に制御することを特徴とする請求項１３に記載の携帯端末機。
【請求項１５】
前記携帯端末機は、
前記第２アンテナからの第２ＲＦ信号に含まれる第２ＲＦ信号と第１ＲＦ信号の位相雑音信号を前記第２ＲＦ受信機に通過させ、前記第２アンテナからの第２ＲＦ信号に含まれる第１ＲＦ信号を遮断する入力フィルタを更に備えることを特徴とする請求項２に記載の携帯端末機。
【請求項１６】
第１アンテナを介して第１ＲＦ信号を送受信する第１ＲＦ送受信機と、第２アンテナを介して第２ＲＦ信号を受信する第２ＲＦ受信機と、前記第１ＲＦ信号を利用して前記第２ＲＦ信号に含まれる位相雑音を除去する位相雑音除去器とを備える携帯端末機に適用される干渉位相雑音の除去方法において、
前記第２ＲＦ受信機及び位相雑音除去器を動作させ、前記位相雑音除去器に含まれて第１ＲＦ信号の位相雑音信号を通過する位相雑音通過フィルタ、前記位相雑音通過フィルタからの第１ＲＦ信号の位相雑音信号を位相反転させる位相変換器及び前記位相変換器からの信号のレベルを調整するＶＧＡ増幅器をデフォルト値に設定するステップと、
前記第２ＲＦ受信機からのチャネル情報を利用して、前記位相雑音通過フィルタ及び位相変換器の各中心周波数を調整して、前記第１ＲＦ信号の位相反転された信号で前記第２ＲＦ信号に含まれる位相雑音信号を除去するステップ
とを含むことを特徴とする携帯端末機の干渉位相雑音の除去方法。
【請求項１７】
第１アンテナを介して第１ＲＦ信号を送受信する第１ＲＦ送受信機と、第２アンテナを介して第２ＲＦ信号を受信する第２ＲＦ受信機と、前記第１ＲＦ信号を利用して前記第２ＲＦ信号に含まれる位相雑音を除去する位相雑音除去器とを備える携帯端末機に適用される干渉位相雑音の除去方法において、
前記第２ＲＦ受信機及び位相雑音除去器を動作させ、前記位相雑音除去器に含まれて第１ＲＦ信号の位相雑音信号を通過する位相雑音通過フィルタ、前記位相雑音通過フィルタからの第１ＲＦ信号の位相雑音信号を位相反転させる位相変換器及び前記位相変換器からの信号のレベルを調整するＶＧＡ増幅器をデフォルト値に設定するステップと、
前記第２受信機からの現在のフレームＢＥＲが基準ＢＥＲより大きいか否かを判断して、現在のフレームＢＥＲが基準ＢＥＲより大きいと、現在のフレームＢＥＲが以前のフレームＢＥＲより大きいか否かを判断するステップと、
前記現在のフレームＢＥＲが以前のフレームＢＥＲより大きくないと、前記位相変換器の位相及び前記ＶＧＡ増幅器の利得を以前の調整方向と同一方向に調整して、前記第１ＲＦ信号の位相反転された信号で前記第２ＲＦ信号に含まれる位相雑音信号を除去するステップと、
前記現在のフレームＢＥＲが以前のフレームＢＥＲより大きいと、前記位相変換器の位相及び前記ＶＧＡ増幅器の利得を以前の調整方向と反対方向に調整して、前記第１ＲＦ信号の位相反転された信号で前記第２ＲＦ信号に含まれる位相雑音信号を除去するステップ
とを含むことを特徴とする携帯端末機の干渉位相雑音の除去方法。
【請求項１８】
第１アンテナを介して第１ＲＦ信号を送受信する第１ＲＦ送受信機と、第２アンテナを介して第２ＲＦ信号を受信する第２ＲＦ受信機と、前記第１ＲＦ信号を利用して前記第２ＲＦ信号に含まれる位相雑音を除去する位相雑音除去器とを備える携帯端末機に適用される携帯端末機の干渉位相雑音の除去方法において、
前記第２ＲＦ受信機及び位相雑音除去器を動作させ、前記位相雑音除去器に含まれて第１ＲＦ信号の位相雑音信号を通過する位相雑音通過フィルタ、前記位相雑音通過フィルタからの第１ＲＦ信号の位相雑音信号を位相反転させる位相変換器及び前記位相変換器からの信号のレベルを調整するＶＧＡ増幅器をデフォルト値に設定するステップと、
前記第２ＲＦ受信機からのチャネル情報を利用して、前記位相雑音通過フィルタ及び位相変換器の各中心周波数を調整して、前記第１ＲＦ信号の位相反転された信号で前記第２ＲＦ信号に含まれる位相雑音信号を除去するステップと、
前記第２受信機からの現在のフレームＢＥＲが基準ＢＥＲより大きいか否かを判断して、現在のフレームＢＥＲが基準ＢＥＲより大きいと、現在のフレームＢＥＲが以前のフレームＢＥＲより大きいか否かを判断するステップと、
前記現在のフレームＢＥＲが以前のフレームＢＥＲより大きくないと、前記位相変換器の位相及び前記ＶＧＡ増幅器の利得を以前の調整方向と同一方向に調整して、前記第１ＲＦ信号の位相反転された信号で前記第２ＲＦ信号に含まれる位相雑音信号を除去するステップと、
前記現在のフレームＢＥＲが以前のフレームＢＥＲより大きいと、前記位相変換器の位相及び前記ＶＧＡ増幅器の利得を以前の調整方向と反対方向に調整して、前記第１ＲＦ信号の位相反転された信号で前記第２ＲＦ信号に含まれる位相雑音信号を除去するステップ
とを含むことを特徴とする携帯端末機の干渉位相雑音の除去方法。
【発明の詳細な説明】
【技術分野】
【０００１】
本発明は、デジタルＴＶ受信機が採用された携帯端末機に関するものであって、特に、ＤＶＢ−ＨのようなデジタルＴＶ放送を受信する際、ＧＳＭなどの携帯電話の高出力送信信号による位相雑音信号を遮断するようにすることによって、高電力ＧＳＭ信号の位相雑音信号により引き起こされるデジタルＴＶ放送の受信感度の低下を防止することができ、これにより、ＤＶＢ−ＨなどのデジタルＴＶ放送の受信性能及び量産性を向上させることができる携帯端末機及びその干渉位相雑音の除去方法に関する。
【背景技術】
【０００２】
一般に、最近、ＴＶデジタル放送に対して関心が集中するに伴い、韓国内ではＤＭＢ、ヨーロッパ地域ではＤＶＢに対した技術開発が進められている。
【０００３】
ここで、ＤＭＢとは、「Ｄｉｇｉｔａｌ  Ｍｕｌｔｉｍｅｄｉａ  Ｂｒｏａｄｃａｓｔｉｎｇ」の略語であって、地上波ＤＭＢと位相ＤＭＢがある。また、ＤＶＢは、「Ｄｉｇｉｔａｌ  Ｖｉｄｅｏ  Ｂｒｏａｄｃａｓｔｉｎｇ」の略語で、一般放送局から家庭用又は事務室用の固定された装置で受信するＤＶＢ−Ｔと、携帯電話機であるが、携帯用映像機器等の低電力、移動性、携帯性を考慮したＤＶＢ−Ｈがある。
【０００４】
そして、携帯電話機やＰＤＡのような移動型通信端末機に該当する携帯端末機の複合化に伴い、ＤＶＢ−Ｈが内蔵された携帯電話機が市場に発売される予定であり、このとき、１つの端末機で２種類以上の機能（ＧＳＭ／ＧＰＲＳ＆ＤＶＢ−Ｈ）を支援する場合には、相互間の干渉影響により、各モジュールの受信感度を低下させる現象に対して適切な対応が必要でる。
【０００５】
図１は、従来のＤＶＢ−Ｈ受信機を内蔵したＧＳＭ携帯電話機の構成図である。
【０００６】
図１に示すように、従来のＧＳＭ携帯電話機は、略９００ＭＨｚ（ＴＸ：８８０−９１５ＭＨｚ、ＲＸ：９２５−９６０ＭＨｚ）のＧＳＭ信号を送受信するＧＳＭ送受信機１１と、略４７０ＭＨｚ〜７５０ＭＨｚの帯域のＤＶＢ−Ｈ放送信号を受信するＤＶＢ−Ｈ受信機１２とを備える。
【０００７】
このような従来の携帯端末機において、ＤＶＢ−Ｈ受信バンドに対する略９００ＭＨｚに該当するＧＳＭ９００送信バンドの位相雑音の影響については、図２を参照して説明する。
【０００８】
図２は、従来の携帯端末機のＤＶＢ−Ｈ受信バンドに対するＧＳＭ９００送信バンドの位相雑音影響のグラフ図であって、図２の（ａ）は、ＤＶＢ−Ｈ受信機１２の入力端にＧＳＭ９００送信バンドを除去する帯域通過フィルタを備えない場合に、ＤＶＢ−Ｈ受信バンドに対するＧＳＭ９００送信バンドの位相雑音影響のグラフ図であり、図２の（ｂ）は、ＤＶＢ−Ｈ受信機１２の入力端にＧＳＭ９００送信バンドを除去する帯域通過フィルタを備える場合に、ＤＶＢ−Ｈ受信バンドに対するＧＳＭ９００送信バンドの位相雑音影響のグラフ図である。
【０００９】
図２の（ａ）に示すように、ＤＶＢ−Ｈバンドは、略４７０ＭＨｚ〜７５０ＭＨｚ程度であり、ＧＳＭ９００送信バンドは、略８８０〜９１５ＭＨｚである。図２では、ＧＳＭ送信信号の位相雑音信号がＤＶＢ−Ｈ受信バンドに流入されて、ＤＶＢ−Ｈ受信信号に悪影響を及ぼすことを示している。
【００１０】
一方、従来の携帯端末機では、ＤＶＢ−Ｈ受信機１２を介してデジタル放送を受信する間に、ＧＳＭ送受信機１１を介してＧＳＭ送受信を行う状況が発生し得る。また、ＤＶＢ−Ｈ受信機１２を介してデジタル放送を受信する間に、近い位置にある他のＧＳＭ送受信機を介してＧＳＭ送受信を行う状況が発生できる。
【００１１】
図２の（ｂ）に示すように、ＧＳＭ送受信機１１では、ＧＳＭ送信信号の電力を内部の電力増幅器を介して略＋３３ｄＢｍ程度の高電力に増幅させるため、このような高い電力のＧＳＭ送信信号がアンテナを介してＤＶＢ−Ｈ受信機１２に流入されることができる。このような場合に、ＧＳＭ送信信号がＤＶＢ−Ｈ放送の受信信号に雑音として作用するので、このような雑音を減らすために、ＤＶＢ−Ｈ受信機１２の入力端には、帯域通過フィルタ（ＢＰＦ）を備えることができる。帯域通過フィルタ（ＢＰＦ）は、略４７０ＭＨｚ〜７５０ＭＨｚのＤＶＢ−Ｈ受信信号を通過させ、８８０ＭＨｚ以上のＧＳＭ送信信号を遮断する。
【００１２】
このような従来のＧＳＭ携帯電話機のＤＶＢ−Ｈ受信機１２が備える帯域通過フィルタ（ＢＰＦ）がＧＳＭ送信信号を遮断して、ＤＶＢ−Ｈ受信機１２のＲＦ回路から発生するＧＳＭ送信信号とＤＶＢ−Ｔ信号との間の相互変調（ｉｎｔｅｒｍｏｄｕｌａｔｉｏｎ）による雑音影響を改善することができる。
【００１３】
しかしながら、このような従来のＧＳＭ携帯電話機では、帯域通過フィルタを備える場合にも、ＤＶＢ−Ｈ受信帯域に該当する４７０ＭＨｚ〜７５０ＭＨｚ帯域のＧＳＭ送信信号の位相雑音成分は遮断されず、帯域通過フィルタ（ＢＰＦ）を減衰なしに通過して、ＤＢＶ−Ｈ受信帯域に影響を与えて、ＤＶＢ−Ｈ放送の受信感度を落とすという問題がある。
【００１４】
このような従来のＧＳＭ携帯電話機の問題点について、図３を参照して詳細に説明する。
【００１５】
図３は、従来のＧＳＭ携帯端末機での位相雑音対ＤＶＢ−Ｈ受信感度の影響を示す測定グラフであって、このような図３のグラフは、ＧＳＭ送信信号が第２アンテナＡＮＴ２を介してＤＶＢ−Ｈ受信機１２に流入され、ＧＳＭ送信信号の位相雑音がＤＶＢ−Ｈ受信帯域に影響を与えるとき、ＧＳＭ送信信号の位相雑音レベルに応じるＤＶＢ−Ｈ受信感度の低下特性を測定したグラフを示している。
【００１６】
図３に示すように、第２アンテナＡＮＴ２を介して流入されるＧＳＭ送信信号の位相雑音レベルが−１５０ｄＢｍ／Ｈｚの場合に、ＤＶＢ−Ｈ受信機１２の受信感度特性は、ＧＳＭ位相雑音の影響がないとき、Ｇ１１及びＧ１２を参照すれば分かるように、−９３．５ｄＢｍ（Ｇ１１）から−６９．５ｄＢｍ（Ｇ１２）へ略−２４ｄＢ程度性能が低下することを確認することができる。
【００１７】
すなわち、このような従来のＧＳＭ携帯電話機において、帯域通過フィルタ（ＢＰＦ）によってはＧＳＭ送信信号の減衰が充分でないため、このようなＧＳＭ送信信号がＤＶＢ−Ｈ受信機１２に雑音として流入されて、ＤＶＢ−Ｈ放送の受信感度を落とすという問題がある。
【発明の開示】
【発明が解決しようとする課題】
【００１８】
本発明は、上記のような従来の問題点を解消するためのものであって、その目的は、ＤＶＢ−ＨのようなデジタルＴＶ放送を受信する際、ＧＳＭなどの携帯電話の高出力送信信号による位相雑音信号を遮断するようにすることによって、高電力ＧＳＭ信号の位相雑音信号により引き起こされるデジタルＴＶ放送の受信感度の低下を防止することができ、これにより、ＤＶＢ−ＨなどのデジタルＴＶ放送の受信性能及び量産性を向上させることができる携帯端末機及びその干渉位相雑音の除去方法を提供することにある。
【課題を解決するための手段】
【００１９】
上記のような目的を達成すべく、本発明の携帯端末機は、第１アンテナを介して第１ＲＦ信号を送受信する第１ＲＦ送受信機と、第１送受信機から出力される信号のうち、小電力の信号を抽出する第１信号カプラーと、第２アンテナを介して第２ＲＦ信号を受信する第２ＲＦ受信機と、第１信号カプラーにより抽出された信号のうち、第２ＲＦ受信帯域に該当する第１ＲＦ信号の位相雑音信号を通過する位相雑音通過フィルタと、位相雑音通過フィルタからの第１ＲＦ信号の位相雑音信号を位相反転させる位相変換器と、位相変換器からの信号のレベルを調整するＶＧＡ増幅器と、ＶＧＡ増幅器からの信号と第２アンテナからの第２ＲＦ信号とを結合して、第２ＲＦ信号に含まれる第１ＲＦ信号の位相雑音信号を除去する信号結合器とを備えることを特徴とする。
【００２０】
携帯端末機は、第２ＲＦ受信機からの制御信号に基づいて、第２ＲＦ信号に含まれる位相雑音信号の除去を制御する雑音除去制御機を更に備えることを特徴とする。
【００２１】
雑音除去制御機は、第２ＲＦ受信機から制御信号を受けて、制御信号に含まれるチャネル情報に基づいて位相雑音通過フィルタ及び位相変換器の中心周波数可変を制御することを特徴とする。
【００２２】
雑音除去制御機は、第２ＲＦ受信機から制御信号を受けて、制御信号にＢＥＲ（Ｂｉｔ  Ｅｒｒｏｒ  Ｒａｔｅ）に基づいて、位相変換器の中心周波数可変及びＶＧＡ増幅器の利得を制御することを特徴とする。
【００２３】
雑音除去制御機は、第２ＲＦ受信機から制御信号を受けて、制御信号にチャネル情報及びＢＥＲに基づいて位相雑音通過フィルタ及び位相変換器の中心周波数可変と、ＶＧＡ増幅器の利得を制御して、第２アンテナを介して第１ＲＦ信号の位相雑音信号の電力を最小に制御することを特徴とする。
【００２４】
位相雑音通過フィルタは、雑音除去制御機の制御に応じて、第２ＲＦ選択チャネルの周波数を中心周波数として含む通過帯域を設定する可変フィルタからなることを特徴とする。
【００２５】
位相変換器は、雑音除去制御機の制御に応じて位相反転中心周波数を設定し、位相雑音通過フィルタからの位相雑音信号を設定した中心周波数を中心に位相反転させ、ここで反転される位相は、第２アンテナを介して受信される位相雑音信号と１８０°の位相差を有することを特徴とする。
【００２６】
ＶＧＡ増幅器は、雑音除去制御機の制御に応じて位相変換器からの信号のレベルを、第２アンテナを介した第１ＲＦ信号の位相雑音信号のレベルと同様に制御することを特徴とする。
【００２７】
携帯端末機は、信号結合器の出力信号のうち、小電力の信号を抽出する第２信号カプラーと、第２信号カプラーにより抽出された信号に含まれる位相雑音信号の電力を検出して、雑音除去制御機に検出信号を出力する電力検出器とを更に備えることを特徴とする。
【００２８】
雑音除去制御機は、電力検出器からの検出信号を利用して、第１ＲＦ信号の位相雑音信号の電力を監視しながら位相変換器の位相を可変し、ＶＧＡ増幅器の利得を制御して、位相雑音信号の電力を最小値に制御することを特徴とする。
【００２９】
携帯端末機は、第２アンテナからの第２ＲＦ信号に含まれる第２ＲＦ信号と第１ＲＦ送信信号の位相雑音信号を第２ＲＦ受信機に通過させ、第２アンテナからの第２ＲＦ信号に含まれる第１ＲＦ送信信号を遮断する入力フィルタを更に備えることを特徴とする。
【００３０】
また、本発明の位相雑音除去方法に対する第１実施例は、第１アンテナを介して第１ＲＦ信号を送受信する第１ＲＦ送受信機と、第２アンテナを介して第２ＲＦ信号を受信する第２ＲＦ受信機と、第１ＲＦ信号を利用して第２ＲＦ信号に含まれる位相雑音を除去する位相雑音除去器とを備える携帯端末機に適用される干渉位相雑音の除去方法において、第２ＲＦ受信機及び位相雑音除去器を動作させ、位相雑音除去器が備える位相雑音通過フィルタ、位相変換器及びＶＧＡ増幅器をデフォルト値に設定するステップと、第２ＲＦ受信機からのチャネル情報を利用して、位相雑音通過フィルタ及び位相変換器の各中心周波数を調整して、第１ＲＦ信号の位相反転された信号で第２ＲＦ信号に含まれる位相雑音信号を除去するステップとを含むことを特徴とする。
【００３１】
また、本発明の位相雑音除去方法に対する第２実施例は、第１アンテナを介して第１ＲＦ信号を送受信する第１ＲＦ送受信機と、第２アンテナを介して第２ＲＦ信号を受信する第２ＲＦ受信機と、第１ＲＦ信号を利用して第２ＲＦ信号に含まれる位相雑音を除去する位相雑音除去器とを備える携帯端末機に適用される干渉位相雑音の除去方法において、第２ＲＦ受信機及び位相雑音除去器を動作させ、位相雑音除去機の位相雑音通過フィルタ、位相変換器及びＶＧＡ増幅器をデフォルト値に設定するステップと、第２受信機からの現在のフレームＢＥＲが基準ＢＥＲより大きいか否かを判断して、現在のフレームＢＥＲが基準ＢＥＲより大きいと、現在のフレームＢＥＲが以前のフレームＢＥＲより大きいか否かを判断するステップと、現在のフレームＢＥＲが以前のフレームＢＥＲより大きくないと、位相変換器の位相及びＶＧＡ増幅器の利得を以前の調整方向と同一方向に調整して、第１ＲＦ信号の位相反転された信号で第２ＲＦ信号に含まれる位相雑音信号を除去するステップと、現在のフレームＢＥＲが以前のフレームＢＥＲより大きいと、位相変換器の位相及びＶＧＡ増幅器の利得を以前の調整方向と反対方向に調整して、第１ＲＦ信号の位相反転された信号で第２ＲＦ信号に含まれる位相雑音信号を除去するステップとを含むことを特徴とする。
【００３２】
また、本発明の位相雑音除去方法に対する第３実施例は、第１アンテナを介して第１ＲＦ信号を送受信する第１ＲＦ送受信機と、第２アンテナを介して第２ＲＦ信号を受信する第２ＲＦ受信機と、第１ＲＦ信号を利用して第２ＲＦ信号に含まれる位相雑音を除去する位相雑音除去器とを備える携帯端末機に適用される携帯端末機の干渉位相雑音の除去方法において、第２ＲＦ受信機及び位相雑音除去器を動作させ、位相雑音除去機の位相雑音通過フィルタ、位相変換器及びＶＧＡ増幅器をデフォルト値に設定するステップと、第２ＲＦ受信機からのチャネル情報を利用して、位相雑音通過フィルタ及び位相変換器の各中心周波数を調整して、第１ＲＦ信号の位相反転された信号で第２ＲＦ信号に含まれる位相雑音信号を除去するステップと、第２受信機からの現在のフレームＢＥＲが基準ＢＥＲより大きいか否かを判断して、現在のフレームＢＥＲが基準ＢＥＲより大きいと、現在のフレームＢＥＲが以前のフレームＢＥＲより大きいか否かを判断するステップと、現在のフレームＢＥＲが以前のフレームＢＥＲより大きくないと、位相変換器の位相及びＶＧＡ増幅器の利得を以前の調整方向と同一方向に調整して、第１ＲＦ信号の位相反転された信号で第２ＲＦ信号に含まれる位相雑音信号を除去するステップと、現在のフレームＢＥＲが以前のフレームＢＥＲより大きいと、位相変換器の位相及びＶＧＡ増幅器の利得を以前の調整方向と反対方向に調整して、第１ＲＦ信号の位相反転された信号で第２ＲＦ信号に含まれる位相雑音信号を除去するステップとを含むことを特徴とする。
【発明の効果】
【００３３】
本発明によると、ＤＶＢ−ＨのようなデジタルＴＶ放送を受信する際、ＧＳＭなどの携帯電話の高出力送信信号による位相雑音信号を遮断するようにすることによって、高電力ＧＳＭ信号の位相雑音信号により引き起こされるデジタルＴＶ放送の受信感度の低下を防止することができ、これにより、ＤＶＢ−ＨなどのデジタルＴＶ放送の受信性能及び量産性を向上させることができる。
【００３４】
より具体的には、本発明によると、ＤＶＢ−Ｈ受信帯域に印加されるＧＳＭ送信信号の位相雑音成分を除去することによって、ＧＳＭ通信環境下でＤＶＢ−Ｈ受信機の受信性能を図７のように改善することができ、またＧＳＭ通話をしながら同時にＤＶＢ−Ｈ受信機を介してデジタル放送を安定的に受信することができる。
【００３５】
また、ＤＶＢ−Ｈ受信帯域内のＧＳＭ位相雑音の影響を除去することによって、ＤＶＢ−Ｈ全体受信帯域を７５０ＭＨｚ以上に拡張させ得るようになって、周波数拡張性を可能にする。
【発明を実施するための最良の形態】
【００３６】
以下、本発明の実施の形態を添付の図面を参照してより詳しく説明する。本発明に参照された図面において、実質的に同じ構成と機能を有した構成要素には同一の参照符号を付してある。
【００３７】
以下、本発明の実施例では、第１ＲＦ信号はＧＳＭ信号に該当し、第１ＲＦ送受信機はＧＳＭ送受信機に該当し、第２ＲＦ信号はＤＶＢ−Ｈ受信信号を含む受信信号に該当し、第２ＲＦ受信機はＤＶＢ−Ｈ受信機に該当する。
【００３８】
図４は、本発明に係る携帯端末機の構成図である。
【００３９】
図４に示すように、本発明に係る携帯端末機は、第１アンテナＡＮＴ１を介してＧＳＭ信号を送受信するＧＳＭ送受信機１００と、ＧＳＭ送受信機１００から出力される信号のうち、小電力の信号を抽出する第１信号カプラー１１０と、第２アンテナＡＮＴ２を介してＤＶＢ−Ｈ信号を受信するＤＶＢ−Ｈ受信機２００と、第１信号カプラー１１０により抽出された信号のうち、ＤＶＢ−Ｈ受信帯域に該当する位相雑音信号を位相反転して、第２アンテナＡＮＴ２を介した受信信号と結合させて、第２アンテナＡＮＴ２を介した受信信号に含まれるＧＳＭ送信信号の位相雑音信号を除去する位相雑音除去器３００とを備える。
【００４０】
本発明の携帯端末機は、第２アンテナＡＮＴ２からの受信信号に含まれるＤＶＢ−Ｈ信号とＧＳＭ送信信号の位相雑音をＤＶＢ−Ｈ受信機２００に通過させ、第２アンテナＡＮＴ２からの受信信号に含まれるＧＳＭ送信信号を遮断するＧＳＭフィルタ２０５を更に備えることができる。
【００４１】
ここで、ＧＳＭ送信信号の帯域は、前述のように、略８８０ＭＨｚ〜９１５ＭＨｚであり、ＧＳＭ送信信号の位相雑音は、４７０ＭＨｚ〜８８０ＭＨｚ帯域に広く分布しており、ＤＶＢ−Ｈ受信信号は、略４７０ＭＨｚ〜７５０ＭＨｚであり、これは図５に示されている。
【００４２】
また、位相雑音除去器３００は、第１信号カプラー１１０により抽出された信号のうち、ＤＶＢ−Ｈ受信帯域に該当する位相雑音信号を通過する位相雑音通過フィルタ３１０と、位相雑音通過フィルタ３１０からの位相雑音信号の位相を反転させる位相変換器３２０と、位相変換器３２０からの信号レベルを調整するＶＧＡ増幅器３３０と、ＶＧＡ増幅器３３０からの信号と第２アンテナＡＮＴ２からのＤＶＢ−Ｈ信号とを結合して、受信信号に含まれる位相雑音信号を除去する信号結合器３４０とを含む。
【００４３】
その上、位相雑音除去器３００は、第２ＲＦ受信機から制御信号に基づいて、ＤＶＢ−Ｈ信号に含まれる位相雑音信号の除去を制御する雑音除去制御機３７０を更に備えることができる。
【００４４】
このとき、雑音除去制御機３７０は、第２ＲＦ受信機から制御信号を受けて、制御信号に含まれるチャネル情報に基づいて、位相雑音通過フィルタ３１０及び位相変換器３２０の中心周波数可変を制御することができる。
【００４５】
又は、雑音除去制御機３７０は、第２ＲＦ受信機から制御信号を受けて、制御信号にＢＥＲ（Ｂｉｔ  Ｅｒｒｏｒ  Ｒａｔｅ）に基づいて、位相変換器３２０の中心周波数可変及びＶＧＡ増幅器３３０の利得を制御することができる。
【００４６】
又は、雑音除去制御機３７０は、第２ＲＦ受信機から制御信号を受けて、制御信号にチャネル情報及びＢＥＲに基づいて位相雑音通過フィルタ３１０及び位相変換器３２０の中心周波数可変と、ＶＧＡ増幅器３３０の利得を制御して、第２アンテナを介して第１ＲＦ信号の位相雑音信号の電力を最小に制御することができる。
【００４７】
上述の雑音除去制御機３７０に関連し、位相雑音通過フィルタ３１０は、雑音除去制御機３７０の制御に応じて、第２ＲＦ選択チャネルの周波数を中心周波数として含む通過帯域を設定する可変フィルタからなり得る。
【００４８】
位相変換器３２０は、雑音除去制御機３７０の制御に応じて位相反転中心周波数を設定し、位相雑音通過フィルタ３１０からの位相雑音信号を設定された中心周波数を中心に位相反転させることができる。ここで、反転される位相は、第２アンテナを介して受信される位相雑音信号と１８０°の位相差を有する。
【００４９】
ＶＧＡ増幅器３３０は、雑音除去制御機３７０の制御に応じて、位相変換器３２０からの信号のレベルを、第２アンテナを介した第１ＲＦ信号の位相雑音信号のレベルと同様に制御できる。
【００５０】
また、位相雑音除去器３００は、信号結合器３４０の出力信号のうち、小電力の信号を抽出する第２信号カプラー３５０と、第２信号カプラー３５０により抽出された信号に含まれる位相雑音信号の電力を検出する電力検出器３６０とを更に備えることができる。
【００５１】
このとき、ＶＧＡ増幅器３３０は、電力検出器３６０により検出されたＧＳＭ位相雑音信号の電力によって決定される利得で、位相変換器３２０からの信号を増幅して、信号結合器３４０に出力する。
【００５２】
この場合、雑音除去制御機３７０は、電力検出器３６０からのＧＳＭ位相雑音信号の電力を監視しながら位相変換器３２０の位相を調整し、またＶＧＡ増幅器３３０の利得を調節して、ＧＳＭ位相雑音信号の電力が最小値になるように制御することができる。
【００５３】
図５は、本発明の携帯端末機の位相雑音除去のグラフ図である。図５において、ＧＳＭ９００は、ＧＳＭ送信信号の周波数帯域であり、ＤＶＢ−Ｈ  ＲＸはＤＶＢ−Ｈ受信信号であり、図５は、ＧＳＭ送信信号の位相雑音信号がＤＶＢ−Ｈ受信信号に及ぼす悪影響が、本発明によって改善されたことを示している。すなわち、ＧＳＭ送信信号の位相雑音は、略２５ｄＢ程度除去して、ＤＶＢ−Ｈ受信信号をより良好に受信できることを示している。
【００５４】
図６は、本発明の位相雑音除去器を利用した位相雑音対ＤＶＢ−Ｈ受信感度の向上を示す測定グラフである。図６では、Ｇ２１は、純粋なＤＶＢ−Ｈ受信感度のグラフであり、Ｇ２２は、ＧＳＭ信号の位相雑音によるＤＶＢ−Ｈ受信感度のグラフである。そして、Ｇ２３は、本発明の位相雑音除去器を介して改善されたＤＶＢ−Ｈ受信感度のグラフである。
【００５５】
図７は、本発明に係る携帯端末機の干渉位相雑音の除去方法の第１実施例を示すフローチャート図である。
【００５６】
図７において、Ｓ７１０は、携帯端末機のパワーがオンになると、位相雑音除去器３００がイネーブルされ、位相雑音除去器３００が備える位相雑音通過フィルタ３１０と位相変換器３２０の中心周波数、そしてＶＧＡ増幅器３３０の利得をデフォルト値に設定するステップである。
【００５７】
Ｓ７２０は、位相雑音除去器３００がＤＶＢ−Ｈ受信機２００からのチャネル情報に基づいて、位相雑音通過フィルタ３１０及び位相変換器３２０の中心周波数を調整するステップである。
【００５８】
Ｓ７３０は、本発明の携帯端末機のパワーがオフにならないと、ステップＳ７２０を繰り返し続け、本発明の携帯端末機のパワーがオフになると、終了するステップである。
【００５９】
図８は、本発明に係る携帯端末機の干渉位相雑音の除去方法の第２実施例を示すフローチャート図である。
【００６０】
図８において、Ｓ８１０は、携帯端末機のパワーがオンになると、本発明の位相雑音除去器３００がイネーブルされ、位相雑音除去器３００が備える位相雑音通過フィルタ３１０と位相変換器３２０の中心周波数、そしてＶＧＡ増幅器３３０の利得をデフォルト値に設定するステップである。
【００６１】
Ｓ８３０は、ＤＶＢ−Ｈ受信機２００からの現在のフレームＢＥＲ情報を受信するステップである。
【００６２】
Ｓ８４０は、現在のフレームに対する良好又は不良を判定するために、ＤＶＢ−Ｈ受信機２００からの現在のフレームＢＥＲ情報と基準フレームＢＥＲとを比較するステップである。現在のフレームＢＥＲが基準ＢＥＲより大きくなければ、次のフレームＢＥＲを測定するためにステップＳ８３０を繰り返す。
【００６３】
Ｓ８５０は、現在のフレームＢＥＲが基準ＢＥＲより大きいと、現在のフレームＢＥＲと以前のフレームＢＥＲとを比較するステップである。
【００６４】
Ｓ８６０は、現在のフレームＢＥＲが以前のフレームＢＥＲより大きくないと、位相変換器３２０の位相及びＶＧＡ増幅器３３０の利得を以前の調整方向と同一方向に調整するステップである。
【００６５】
Ｓ８７０は、現在のフレームＢＥＲが以前のフレームＢＥＲより大きいと、位相変換器３２０の位相及びＶＧＡ増幅器３３０の利得を以前の調整方向と反対方向に調整するステップである。
【００６６】
Ｓ８８０は、位相雑音除去器３００のディセーブルを判断するステップである。
【００６７】
Ｓ８９０は、ディセーブルが選択されると、位相雑音除去器３００をディセーブルさせるステップである。
【００６８】
図９は、本発明に係る携帯端末機の干渉位相雑音の除去方法の第３実施例を示すフローチャート図である。
【００６９】
図９において、Ｓ９１０は、携帯端末機のパワーがオンになると、位相雑音除去器３００がイネーブルされ、位相雑音除去器３００が備える位相雑音通過フィルタ３１０と位相変換器３２０の中心周波数、そしてＶＧＡ増幅器３３０の利得をデフォルト値に設定するステップである。
【００７０】
Ｓ９２０は、ＤＶＢ−Ｈ受信機２００からのチャネル情報に基づいて、位相雑音通過フィルタ３１０及び位相変換器３２０の中心周波数を調整するステップである。
【００７１】
Ｓ９３０は、ＤＶＢ−Ｈ受信機２００からの現在のフレームＢＥＲ（Ｂｉｔ  Ｅｒｒｏｒ  Ｒａｔｅ）情報を受信するステップである。
【００７２】
Ｓ９４０は、ＤＶＢ−Ｈ受信機２００からの現在のフレームＢＥＲ情報と基準フレームＢＥＲとを比較するステップである。
【００７３】
Ｓ９５０は、現在のフレームＢＥＲが基準ＢＥＲより大きいと、現在のフレームに対する調整方向を決定するために、現在のフレームＢＥＲと以前のフレームＢＥＲとを比較するステップである。
【００７４】
Ｓ９６０は、現在のフレームＢＥＲが以前のフレームＢＥＲより大きくないと、位相変換器３２０の位相及びＶＧＡ増幅器３３０の利得を以前の調整方向と同一方向に調整するステップである。
【００７５】
Ｓ９７０は、現在のフレームＢＥＲが以前のフレームＢＥＲより大きいと、位相変換器３２０の位相及びＶＧＡ増幅器３３０の利得を以前の調整方向と反対方向に調整するステップである。
【００７６】
Ｓ９８０は、位相雑音除去器３００のディセーブルを判断するステップである。
【００７７】
Ｓ９９０は、ディセーブルが選択されると、位相雑音除去器３００をディセーブルさせるステップである。
【００７８】
以下、本発明の作用及び効果を、添付した図面に基づいて詳細に説明する。
【００７９】
本発明の携帯端末機には、ＧＳＭ（ＧＳＭ−ＴＸ；８８０ＭＨｚ〜９１５ＭＨｚ）送受信機及びＤＶＢ−Ｈ（４７０ＭＨｚ〜７５０ＭＨｚ）受信機が内蔵されており、これについて、図４〜図９を参照して、本発明の携帯端末機について説明する。
【００８０】
まず、図４に示すように、本発明に係る携帯端末機の一例であるＧＳＭ携帯電話機において、ＧＳＭ送受信機１００は、第１アンテナＡＮＴ１を介して略８８０ＭＨｚ〜９１５ＭＨｚ周波数帯域に含まれるＧＳＭ信号を送信し、ＤＶＢ−Ｈ受信機２００は、第２アンテナＡＮＴ２を介して略４７０ＭＨｚ〜７５０ＭＨｚ周波数帯域に含まれるＤＶＢ−Ｈ信号を受信する。
【００８１】
このとき、本発明のＧＳＭ携帯電話機は、第２アンテナＡＮＴ２とＤＶＢ−Ｈ受信機２００との間にＧＳＭフィルタ２０５を備え、この場合、ＧＳＭフィルタ２０５は、第２アンテナＡＮＴ２からの受信信号に含まれるＤＶＢ−Ｈ信号をＤＶＢ−Ｈ受信機２００に通過させ、受信信号に含まれるＧＳＭ送信信号を遮断させることができる。
【００８２】
このようなＧＳＭフィルタ２０５は、ＧＳＭ送信信号を遮断することはできるが、ＧＳＭ送信信号の位相雑音成分は、完壁に遮断できなくなり、ＤＶＢ−Ｈ受信機にＧＳＭ送信信号の位相雑音がそのまま印加される。本発明の位相雑音除去器３００とともに用いられる場合には、ＧＳＭ送信信号とともに、ＧＳＭ送信信号の位相雑音を效率的に除去することができ、これについて説明する。
【００８３】
まず、本発明の第１信号カプラー１１０は、ＧＳＭ送受信機１００から出力される信号のうち、一部を位相雑音除去器３００に分岐する。
【００８４】
位相雑音除去器３００は、第１信号カプラー１１０により抽出された信号のうち、ＤＶＢ−Ｈ受信帯域に該当する位相雑音信号を位相反転して、第２アンテナＡＮＴ２を介した受信信号と結合させて、第２アンテナＡＮＴ２を介した受信信号に含まれるＧＳＭ送信信号の位相雑音信号を除去する。
【００８５】
以下、本発明の位相雑音除去器３００について、図４〜図９を参照して詳細に説明する。
【００８６】
まず、図４及び図５を参照すると、位相雑音除去器３００の位相雑音通過フィルタ３１０は、第１信号カプラー１１０により抽出された信号のうち、ＤＶＢ−Ｈ受信帯域に該当する位相雑音信号のみを位相変換器３２０に通過させる。
【００８７】
位相変換器３２０は、位相雑音通過フィルタ３１０からの位相雑音信号の位相を反転させて、ＶＧＡ増幅器３３０に出力する。
【００８８】
ＶＧＡ増幅器３３０は、位相変換器３２０からの信号を増幅して、信号結合器３４０に出力する。
【００８９】
信号結合器３４０は、ＶＧＡ増幅器３３０からの信号と第２アンテナＡＮＴ２からの受信信号を結合して、第２アンテナを介して入力される受信信号に含まれる位相雑音信号を除去する。
【００９０】
また、位相雑音除去器３００が雑音除去制御機３７０を更に備える場合、雑音除去制御機３７０は、第２ＲＦ受信機から制御信号に基づいて第２ＲＦ信号に含まれる位相雑音信号の除去を制御する。
【００９１】
１つの例を挙げると、雑音除去制御機３７０は、第２ＲＦ受信機から制御信号が入力され、制御信号に含まれるチャネル情報に基づいて、位相雑音通過フィルタ及び位相変換器の中心周波数可変を制御することができる。
【００９２】
このとき、位相雑音通過フィルタ３１０は、可変フィルタからなっており、雑音除去制御機３７０の制御に応じて、第２ＲＦ選択チャネルの周波数を中心周波数として含む通過帯域を設定して、第１信号カプラー１１０により抽出された信号を設定された通過帯域に通過させる。また、位相変換器３２０は、雑音除去制御機３７０の制御に応じて位相反転中心周波数を設定し、位相雑音通過フィルタ３１０からの位相雑音信号を設定された中心周波数を中心に位相反転させ、ここで反転される位相は、第２アンテナを介して受信される位相雑音信号と１８０°の位相差を有する。
【００９３】
他の１つの例を挙げると、雑音除去制御機３７０は、第２ＲＦ受信機から制御信号を受けて、制御信号にＢＥＲに基づいて位相変換器３２０の中心周波数可変及びＶＧＡ増幅器３３０の利得を制御することができる。
【００９４】
このとき、位相変換器３２０は、雑音除去制御機３７０の制御に応じて位相反転中心周波数を設定し、位相雑音通過フィルタ３１０からの位相雑音信号を設定した中心周波数を中心に位相反転させる。ここでも、前述のように反転される位相は、第２アンテナを介して受信される位相雑音信号と１８０°の位相差を有する。ＶＧＡ増幅器３３０は、雑音除去制御機３７０の制御に応じて、位相変換器３２０からの信号のレベルを、第２アンテナを介した第１ＲＦ信号の位相雑音信号のレベルと同様に制御する。
【００９５】
更に他の例を挙げると、雑音除去制御機３７０は、ＤＶＢ−Ｈ受信機２００から制御信号を受けて、制御信号にチャネル情報及びＢＥＲに基づいて、位相雑音通過フィルタ３１０及び位相変換器３２０の中心周波数可変と、ＶＧＡ増幅器３３０の利得を制御して、第２アンテナを介して第１ＲＦ信号の位相雑音信号の電力を最小に制御する。
【００９６】
このとき、前述のように、位相雑音通過フィルタ３１０は、可変フィルタからなり、雑音除去制御機３７０の制御に応じて、第２ＲＦ選択チャネルの周波数を中心周波数として含む通過帯域を設定して、第１信号カプラー１１０によりカップリングされたＧＳＭ送信信号のうち、ＤＶＢ−Ｈ受信帯域に該当する位相雑音信号をより正確に選択して、位相変換器３２０に出力できる。
【００９７】
また、位相変換器３２０は、雑音除去制御機３７０の制御に応じて、位相反転中心周波数を設定し、位相雑音通過フィルタ３１０からの位相雑音信号を設定した中心周波数を中心に正確に位相反転させ、ここで反転される位相は、第２アンテナを介して受信される位相雑音信号と１８０°の位相差を有する。
【００９８】
そして、ＶＧＡ増幅器３３０は、雑音除去制御機３７０の制御に応じて、位相変換器３２０からの信号のレベルを、第２アンテナを介した第１ＲＦ信号の位相雑音信号のレベルと同様に制御する。
【００９９】
一方、本発明の位相雑音除去器３００が第２信号カプラー３５０及び電力検出器３６０を備える場合、第２信号カプラー３５０は、信号結合器３４０の出力信号を電力検出器３６０に分岐させる。このとき、電力検出器３６０は、第２信号カプラー３５０により抽出された信号に含まれる位相雑音信号の電力を検出して、雑音除去制御機３７０に出力できる。
【０１００】
このとき、雑音除去制御機３７０は、電力検出器３６０からのＧＳＭ位相雑音信号の電力を監視しながら位相雑音信号の電力が最小になるように位相変換器３２０とＶＧＡ増幅器３３０を制御することができる。
【０１０１】
また、雑音除去制御機３７０は、ＤＶＢ−Ｈ受信機２００から出力されるＤＶＢ−Ｈ受信チャネル情報と受信感度を表すＢＥＲ情報とともに電力検出器３６０から出力される位相雑音信号の電力レベルを監視して、ＧＳＭ位相雑音影響を最小化するために、位相雑音通過フィルタ３１０、位相変換器３２０、ＶＧＡ増幅器３３０の性能が最適になるように制御できる。
【０１０２】
上述のような本発明によれば、図６に示すように、ＧＳＭ信号による位相雑音特性が改善される。図６に示すように、ＧＳＭ送信信号の位相雑音が−１５０ｄＢｍ／Ｈｚの場合、既存の端末機でＧ２１に示したように、−６９．５ｄＢｍに低下されたＤＶＢ−Ｈ受信感度が本発明の位相雑音除去器を介してＧ２３に示したように、ＤＶＢ−Ｈ受信感度が−８９．５ｄＢｍに改善されることを確認することができる。
【０１０３】
一方、図７〜図９を参照して、本発明の位相雑音の除去方法について説明する。
【０１０４】
本発明の位相雑音の除去方法は、第１アンテナを介して第１ＲＦ信号を送受信する第１ＲＦ送受信機と、第２アンテナを介して第２ＲＦ信号を受信する第２ＲＦ受信機と、第１ＲＦ信号を利用して第２ＲＦ信号に含まれる位相雑音を除去する位相雑音除去器とを備える携帯端末機に適用される。
【０１０５】
まず、図７を参照して、本発明の位相雑音の除去方法を説明する。
【０１０６】
図４〜図７に示すように、まず、本発明の携帯端末機のパワーがオンになると、本発明の位相雑音除去器３００がイネーブルされ、位相雑音除去器３００が備える位相雑音通過フィルタ３１０と位相変換器３２０の中心周波数、そしてＶＧＡ増幅器３３０の利得をデフォルト値に設定するステップである（Ｓ７１０）。
【０１０７】
次に、位相雑音除去器３００がＤＶＢ−Ｈ受信機２００からのチャネル情報に基づいて、位相雑音通過フィルタ３１０及び位相変換器３２０の中心周波数を調整する（Ｓ７２０）。
【０１０８】
このとき、位相雑音通過フィルタ３１０は、第１アンテナＡＮＴ１を介してＧＳＭ信号のうち、ＤＶＢ−Ｈ受信帯域に該当する位相雑音信号を選択し、位相変換器３２０から位相反転された信号は、ＶＧＡ増幅器３３０により増幅されて、第２アンテナＡＮＴ２を介した受信信号と結合される。これにより、受信信号に含まれる位相雑音は除去される。
【０１０９】
その後、本発明の携帯端末機のパワーがオフにならないと、ステップＳ７２０を繰り返し続け、本発明の携帯端末機のパワーがオフになると、終了するステップである（Ｓ７３０）。
【０１１０】
次に、図８を参照して、本発明の位相雑音の除去方法を説明する。
【０１１１】
図４〜図８において、上述のように、本発明の携帯端末機のパワーがオンになると、本発明の位相雑音除去器３００がイネーブルされ、位相雑音除去器３００が備える位相雑音通過フィルタ３１０と位相変換器３２０の中心周波数、そしてＶＧＡ増幅器３３０の利得をデフォルト値に設定するステップである（Ｓ８１０）。
【０１１２】
次に、位相雑音除去器３００は、ＤＶＢ−Ｈ受信機２００からの現在のフレームＢＥＲ情報を受信する（Ｓ８３０）。ここで、ＤＶＢ−Ｈ受信機２００は、現在のフレームに対するＢＥＲを測定し、この現在のフレームＢＥＲ情報を位相雑音除去器３００に提供する。
【０１１３】
次に、位相雑音除去器３００は、現在のフレームに対する良好又は不良を判定するために、ＤＶＢ−Ｈ受信機２００からの現在のフレームＢＥＲ情報と基準フレームＢＥＲとを比較する（Ｓ８４０）。ここで、基準フレームＢＥＲは、事前に設定される。このとき、現在のフレームＢＥＲが基準ＢＥＲより大きいと、位相雑音除去器３００は、現在のフレームに対する調整方向を決定するために、現在のフレームＢＥＲと以前のフレームＢＥＲとを比較する（Ｓ８５０）。そして、現在のフレームＢＥＲが基準ＢＥＲより大きくないと、その次のフレームに対するＢＥＲ情報を受信するステップ（Ｓ８３０）に進む。
【０１１４】
次に、位相雑音除去器３００は、現在のフレームＢＥＲが以前のフレームＢＥＲより大きくないと、現在の調整方向を正しい調整方向と判断し、位相変換器３２０の位相及びＶＧＡ増幅器３３０の利得を以前の調整方向と同一方向に調整する（Ｓ８６０）。
【０１１５】
次に、位相雑音除去器３００は、現在のフレームＢＥＲが以前のフレームＢＥＲより大きいと、現在の調整方向を正しくない調整方向と判断し、位相変換器３２０の位相及びＶＧＡ増幅器３３０の利得を以前の調整方向と反対方向に調整する（Ｓ８７０）。
【０１１６】
このとき、位相雑音通過フィルタ３１０は、第１アンテナＡＮＴ１を介してＧＳＭ信号のうち、ＤＶＢ−Ｈ受信帯域に該当する位相雑音信号を選択し、位相変換器３２０で位相反転された信号は、ＶＧＡ増幅器３３０により増幅されて、第２アンテナＡＮＴ２を介した受信信号と結合される。これにより、受信信号に含まれる位相雑音は除去される。
【０１１７】
以後、位相雑音除去器３００は、ディセーブルが選択されないと、その次のフレームに対するＢＥＲ情報を受信するステップ（Ｓ８３０）に進み、ディセーブルが選択されると、ディセーブルされる（Ｓ８８０、Ｓ８９０）。
【０１１８】
その後、図９を参照して、本発明の位相雑音の除去方法を説明する。
【０１１９】
図４〜図９において、前述のように、本発明の携帯端末機のパワーがオンになると、本発明の位相雑音除去器３００がイネーブルされ、位相雑音除去器３００が備える位相雑音通過フィルタ３１０と位相変換器３２０の中心周波数、そしてＶＧＡ増幅器３３０の利得をデフォルト値に設定するステップである（Ｓ９１０）。
【０１２０】
次に、位相雑音除去器３００がＤＶＢ−Ｈ受信機２００からのチャネル情報に基づいて、位相雑音通過フィルタ３１０及び位相変換器３２０の中心周波数を調整する（Ｓ９２０）。
【０１２１】
このとき、位相雑音通過フィルタ３１０は、第１アンテナＡＮＴ１を介してＧＳＭ信号のうち、ＤＶＢ−Ｈ受信帯域に該当する位相雑音信号を選択し、位相変換器３２０で位相反転された信号は、ＶＧＡ増幅器３３０により増幅されて、第２アンテナＡＮＴ２を介した受信信号と結合される。これにより、受信信号に含まれる位相雑音は除去される。
【０１２２】
次に、位相雑音除去器３００は、ＤＶＢ−Ｈ受信機２００からの現在のフレームＢＥＲ情報を受信する（Ｓ９３０）。ここで、ＤＶＢ−Ｈ受信機２００は、現在のフレームに対するＢＥＲを測定して、この現在のフレームＢＥＲ情報を位相雑音除去器３００に提供する。
【０１２３】
次に、位相雑音除去器３００は、現在のフレームに対する良好又は不良を判定するために、ＤＶＢ−Ｈ受信機２００からの現在のフレームＢＥＲ情報と基準フレームＢＥＲとを比較する（Ｓ９４０）。ここで、基準フレームＢＥＲは、事前に設定される。このとき、現在のフレームＢＥＲが基準ＢＥＲより大きいと、位相雑音除去器３００は、現在のフレームに対する調整方向を決定するために、現在のフレームＢＥＲと以前のフレームＢＥＲとを比較する（Ｓ９５０）。そして、現在のフレームＢＥＲが基準ＢＥＲより大きくないと、その次のフレームに対するＢＥＲ情報を受信するステップ（Ｓ９３０）に進む。
【０１２４】
次に、位相雑音除去器３００は、現在のフレームＢＥＲが以前のフレームＢＥＲより大きくないと、現在の調整方向を正しい調整方向と判断し、位相変換器３２０の位相及びＶＧＡ増幅器３３０の利得を以前の調整方向と同一方向に調整する（Ｓ９６０）。
【０１２５】
次に、位相雑音除去器３００は、現在のフレームＢＥＲが以前のフレームＢＥＲより大きいと、現在の調整方向を正しくない調整方向と判断し、位相変換器３２０の位相及びＶＧＡ増幅器３３０の利得を以前の調整方向と反対方向に調整する（Ｓ９７０）。
【０１２６】
このとき、位相雑音通過フィルタ３１０は、第１アンテナＡＮＴ１を介してＧＳＭ信号のうち、ＤＶＢ−Ｈ受信帯域に該当する位相雑音信号を選択し、位相変換器３２０で位相反転された信号は、ＶＧＡ増幅器３３０により増幅されて、第２アンテナＡＮＴ２を介した受信信号と結合される。これにより、受信信号に含まれる位相雑音は除去される。
【０１２７】
以後、位相雑音除去器３００は、ディセーブルが選択されないと、その次のフレームに対するＢＥＲ情報を受信するステップ（Ｓ９３０）に進み、ディセーブルが選択されると、ディセーブルされる（Ｓ９８０、Ｓ９９０）。
【０１２８】
前述のように、本発明のＧＳＭ携帯電話機では、ＤＶＢ−Ｈ受信機の制御信号を介して、ＤＶＢ−Ｈ受信帯域のうち、既設定された受信チャネルに基づいて、受信信号に含まれるＧＳＭ位相雑音の除去を制御することができる。特に、雑音除去制御機３７０は、ＤＶＢ−Ｈ受信機のＢＥＲ情報とともに電力検出器３６０からの位相雑音信号の電力を監視しながら位相変換器３２０の位相を調整し、ＶＧＡ増幅器３３０の利得を調節することによって、位相雑音信号の電力が最小になり得るように制御できる。
【０１２９】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【０１３０】
【図１】従来のＤＶＢ−Ｈ受信機を内蔵したＧＳＭ携帯電話機の構成図である。
【図２】従来のＧＳＭ携帯端末機の位相雑音影響のグラフ図である。
【図３】従来のＧＳＭ携帯端末機での位相雑音に対するＤＶＢ−Ｈ受信の感度を測定したグラフ図である。
【図４】本発明に係る携帯端末機の構成図である。
【図５】本発明の携帯端末機の位相雑音除去のグラフ図である。
【図６】本発明の位相雑音除去器を利用した位相雑音に対するＤＶＢ−Ｈ受信の感度を測定したグラフ図である。
【図７】本発明に係る携帯端末機の干渉位相雑音の除去方法の第１実施例を示すフローチャート図である。
【図８】本発明に係る携帯端末機の干渉位相雑音の除去方法の第２実施例を示すフローチャート図である。
【図９】本発明に係る携帯端末機の干渉位相雑音の除去方法の第３実施例を示すフローチャート図である。
【符号の説明】
【０１３１】
１００…ＧＳＭ送受信機
１１０…第１信号カプラー
２００…ＤＶＢ−Ｈ受信機
２０５…ＧＳＭフィルタ
３００…位相雑音除去器
３１０…位相雑音通過フィルタ
３２０…位相変換器
３３０…ＶＧＡ増幅器
３４０…信号結合器
３５０…第２信号カプラー
３６０…電力検出器
３７０…雑音除去制御機
ＡＮＴ１…第１アンテナ（ＧＳＭ用）
ＡＮＴ２…第２アンテナ（ＤＶＢ−Ｈ用）
【図１】
0004486982.tif 000002
【図２】
0004486982.tif 000003
【図３】
0004486982.tif 000004
【図４】
0004486982.tif 000005
【図５】
0004486982.tif 000006
【図６】
0004486982.tif 000007
【図７】
0004486982.tif 000008
【図８】
0004486982.tif 000009
【図９】
0004486982.tif 000010